(57)【要約】【課題】キートップの打鍵回数を算出するための回路などを備えていなくても、キーの交換時期を使用者に報知することができる入力装置を提供する。【解決手段】本発明の一形態に係る入力装置１は、キー２と制御手段（制御部３）とを備える。キー２は、光透過部４ａを有するキートップ４と、予め設定された回数、使用者が接触すると除去されて光透過部４ａから光の入射を可能とする遮光部５と、光透過部４ａから入射する光を検出し、キートップ４に対してキー２の打鍵方向側に配置された光検出手段（光検出部６）と、を備える。制御手段は、光検出手段から入力される検出信号に基づいて、キー２の寿命信号を出力する。【選択図】図１
2016181048.tif 000002
【特許請求の範囲】
【請求項１】
キーと制御手段とを備え、
前記キーは、
光透過部を有するキートップと、
予め設定された回数、使用者が接触すると除去されて前記光透過部から光の入射を可能とする遮光部と、
前記光透過部から入射する光を検出し、前記キートップに対して前記キーの打鍵方向側に配置された光検出手段と、
を有し、
前記制御手段は、前記光検出手段から入力される検出信号に基づいて、前記キーの寿命信号を出力する、入力装置。
【請求項２】
前記遮光部は、前記光透過部を覆い、予め設定された回数、使用者が接触すると除去される被膜である、請求項１に記載の入力装置。
【請求項３】
前記光透過部は、前記キートップに形成された貫通部であって、
前記遮光部は、前記貫通部を塞ぎ、予め設定された回数、使用者が接触すると除去される、請求項１に記載の入力装置。
【請求項４】
前記光透過部から前記光検出手段に光を導く導光手段を備える、請求項１乃至３のいずれか１項に記載の入力装置。
【請求項５】
前記寿命信号が入力され、入力される前記寿命信号に基づいて動作する報知手段を備える、請求項１乃至４のいずれか１項に記載の入力装置。
【請求項６】
前記報知手段は、光源である、請求項５に記載の入力装置。
【請求項７】
前記光源と前記光検出手段とは一体的に構成されている、請求項６に記載の入力装置。
【請求項８】
請求項１乃至７のいずれか１項に記載の入力装置と、
処理装置と、
タッチ検出手段を有する表示装置と、
を備える、電子機器。
【請求項９】
前記処理装置は、前記制御手段が出力する前記寿命信号に基づいて、前記表示装置にキーボート画面を表示させる、請求項８に記載の電子機器。
【請求項１０】
入力装置に搭載されるキーを使用者が予め設定された回数打鍵して遮光部を除去し、前記キーのキートップに形成された光透過部から光の入射が可能となると、前記光透過部から入射する光を検出する工程と、
前記光透過部の検出信号に基づいて、前記キーの寿命信号を出力する工程と、
を備える、電子機器の制御方法。
【請求項１１】
入力装置に搭載されるキーを使用者が予め設定された回数打鍵して遮光部を除去し、前記キーのキートップに形成された光透過部から光の入射が可能となると、前記光透過部から入射する光を検出させる処理と、
前記光透過部の検出信号に基づいて、前記キーの寿命信号を出力させる処理と、
をコンピュータに実行させる、電子機器の制御プログラム。
【発明の詳細な説明】
【技術分野】
【０００１】
本発明は、入力装置、電子機器、電子機器の制御方法及び制御プログラムに関する。
【背景技術】
【０００２】
特許文献１の電子機器は、キーの打鍵回数を算出して、算出したキーの打鍵回数と寿命回数とを比較し、算出したキーの打鍵回数が寿命回数以上となると、表示装置にキーボードが交換時期である旨の表示を行っている。
【０００３】
ところで、特許文献２には、正確にタイプがなされたか否かを判定し、判定結果に基づいて文字入力キーの発光色を変化させるゲーム装置が開示されている。
【先行技術文献】
【特許文献】
【０００４】
【特許文献１】特開平１−２５１１２２号公報
【特許文献２】特開２００６−３０５０８３号公報
【発明の概要】
【発明が解決しようとする課題】
【０００５】
特許文献１の電子機器は、キーの打鍵回数の算出結果のみに基づいて、キーボードの交換時期を判定している。そのため、キーの打鍵回数を算出するための回路などを必ず備えていないと、キーボードの交換時期を判定することはできない。
【０００６】
本発明の目的は、キーの打鍵回数を算出するための回路などを備えていなくても、キーの交換時期を使用者に報知することができる、入力装置、電子機器、電子機器の制御方法及び制御プログラムを提供する。
【課題を解決するための手段】
【０００７】
本発明の一形態に係る入力装置は、
キーと制御手段とを備え、
前記キーは、
光透過部を有するキートップと、
予め設定された回数、使用者が接触すると除去されて前記光透過部から光の入射を可能とする遮光部と、
前記光透過部から入射する光を検出し、前記キートップに対して前記キーの打鍵方向側に配置された光検出手段と、
を有し、
前記制御手段は、前記光検出手段から入力される検出信号に基づいて、前記キーの寿命信号を出力する。
【０００８】
本発明の一形態に係る電子機器は、
上述の入力装置と、
処理装置と、
タッチ検出手段を有する表示装置と、
を備える。
【０００９】
本発明の一形態に係る電子機器の制御方法は、
入力装置に搭載されるキーを使用者が予め設定された回数打鍵して遮光部を除去し、前記キーのキートップに形成された光透過部から光の入射が可能となると、前記光透過部から入射する光を検出する工程と、
前記光透過部の検出信号に基づいて、前記キーの寿命信号を出力する工程と、
を備える。
【００１０】
本発明の一形態に係る電子機器の制御プログラムは、
入力装置に搭載されるキーを使用者が予め設定された回数打鍵して遮光部を除去し、前記キーのキートップに形成された光透過部から光の入射が可能となると、前記光透過部から入射する光を検出させる処理と、
前記光透過部の検出信号に基づいて、前記キーの寿命信号を出力させる処理と、
をコンピュータに実行させる。
【発明の効果】
【００１１】
本発明によれば、キートップの打鍵回数を算出するための回路などを備えていなくても、キーの交換時期を使用者に報知することができる、入力装置、電子機器、電子機器の制御方法及び制御プログラムを提供することができる。
【図面の簡単な説明】
【００１２】
【図１】実施の形態１の入力装置の制御系のブロック図である。
【図２】実施の形態１の入力装置におけるキー周辺を模式的に示す部分断面図である。
【図３】実施の形態１の入力装置がキーの交換時期を使用者に報知する流れを示すフローチャート図である。
【図４】実施の形態２の入力装置におけるキー周辺を模式的に示す部分断面図である。
【図５】実施の形態３の入力装置におけるキー周辺を模式的に示す部分断面図である。
【図６】実施の形態４の入力装置におけるキー周辺を模式的に示す部分断面図である。
【図７】実施の形態５の入力装置におけるキー周辺を模式的に示す部分断面図である。
【図８】実施の形態６の電子機器を示すブロック図である。
【図９】実施の形態６の電子機器の制御方法の流れを示すフローチャート図である。
【図１０】入力装置における交換時期に到達したキーの光源を発光させた様子を模式的に示す図である。
【図１１】表示装置にキーボード画面を表示した様子を模式的に示す図である。
【図１２】キー画面にキーの打鍵回数を表示した様子を模式的に示す図である。
【図１３】複数のキーを支持する領域毎に複数に分割された基板を搭載したキーボードを模式的に示す図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
＜実施の形態１＞
本実施の形態の入力装置を説明する。図１は、本実施の形態の入力装置の制御系のブロック図である。図２は、本実施の形態の入力装置におけるキー周辺を模式的に示す部分断面図である。なお、以下の説明では、図２に示す形態を基準としてキーの打鍵方向を下側として説明するが、キーの打鍵方向は入力装置１の設置状況によって適宜変更される。
【００１５】
本実施の形態の入力装置１は、例えば、隣接するキーとの間隔が狭く、隣接するキーが打鍵（押下）された際にキーの側方から光が略入射しない、キーボードなどの入力装置として好適である。入力装置１は、図１に示すように、キー２及び制御部３を備えている。
【００１６】
キー２は、図２に示すように、キートップ４、遮光部５、光検出部６、光源７及び接触検出部８を備えている。
【００１７】
キートップ４は、板バネなどの弾性部材９によって基板１０上で支持されている。そして、キートップ４は、光透過部４ａを備えている。本実施の形態のキートップ４は、光透過性の板状部材で構成されている。つまり、キートップ４全体が光を透過する構成とされている。
【００１８】
遮光部５は、予め設定された回数、使用者が接触すると除去されて光透過部４ａから光の入射が可能となるように、キートップ４に形成されている。本実施の形態の遮光部５は、キートップ４の上面を覆うように形成されており、予め設定された回数、使用者が接触すると除去される塗膜である。但し、本実施の形態の遮光部５は、キートップ４の上面を覆うように形成しているが、キートップ４の側面も覆うように形成してもよい。また、本実施の形態の遮光部５は塗膜であるが、シート材などの被膜でもよい。
【００１９】
ここで、遮光部５は、例えば、予め設定された回数、使用者が接触すると除去されるように、塗膜の厚さ、材質及び塗装方法が設定されるとよい。また、予め設定された回数は、例えば、キー２が寿命となる打鍵回数（例えば、５００万回〜１０００万回程度）に設定されるとよい。
【００２０】
光検出部６は、光透過部４ａから入射する光を検出する。光検出部６は、キートップ４に対して下方に配置されている。本実施の形態の光検出部６は、基板１０の上面におけるキートップ４の直下位置に設けられている。このような光検出部６としては、一般的なＣＣＤ(Charge Coupled Device)やＣＭＯＳ（Complementary Metal Oxide Semiconductor Image Sensor）などの光検出器を用いることができ、検出信号を制御部３に出力する。
【００２１】
光源７は、点灯した際に使用者が点灯光を視認可能な位置に配置されている。本実施の形態の光源７は、基板１０の上面におけるキートップ４の直下位置に設けられている。このような光源７としては、一般的なＬＥＤ（Light Emitting Diode）などの光源を用いることができ、光検出部６と一体的に構成されているとよい。これにより、基板１０におけるキートップ４の下方の領域を有効に用いることができる。また、光検出部６が光源７の機能を備えていてもよい。
【００２２】
接触検出部８は、キートップ４が所定の深さで打鍵されると当該キートップ４の接触を検出する。つまり、接触検出部８は、所謂キー入力を検出する。本実施の形態の接触検出部８は、基板１０の上面におけるキートップ４の直下位置に設けられている。このような接触検出部８としては、一般的な接触センサなどを用いることができ、検出信号を制御部３に出力する。
制御部３は、光検出部６から入力される検出信号に基づいて、キー２の寿命信号を光源７に出力する。
【００２３】
次に、本実施の形態の入力装置１がキー２の交換時期（寿命）を使用者に報知する流れを説明する。図３は、本実施の形態の入力装置がキーの交換時期を使用者に報知する流れを示すフローチャート図である。
【００２４】
先ず、使用者がキー２を打鍵する（Ｓ１）。そして、キートップ４を覆う遮光部５に予め設定された回数、使用者が接触すると当該遮光部５が除去されてキートップ４の上面、即ち光透過部４ａが露出する（Ｓ２、Ｓ３）。その結果、光透過部４ａから光が入射し、入射した光を光検出部６が検出して検出信号を制御部３に出力する（Ｓ４）。
【００２５】
次に、制御部３は、光検出部６から入力される検出信号に基づいて光の強さを算出し、算出した光の強さが予め設定された第１の閾値以上か否かを判定する（Ｓ５）。そして、制御部３は、算出した光の強さが予め設定された第１の閾値以上であると（Ｓ５のＹＥＳ）、光源７にキー２の寿命信号を出力して当該光源７を点灯させる（Ｓ６）。光源７の点灯光は、光透過部４ａから出射され、使用者は光源７の点灯によってキー２が交換時期であることを認識することができる。
【００２６】
一方、制御部３は、算出した光の強さが予め設定された第１の閾値未満であると、Ｓ５の工程に戻る（Ｓ５のＮＯ）。ちなみに、第１の閾値としては、例えば、遮光部５が略除去された際に光透過部４ａから入射する光の強さに設定すればよい。
【００２７】
このように本実施の形態の入力装置１は、キー２の打鍵回数を算出するための回路や記憶部を備えていなくても、使用者にキー２の交換時期を報知することができる。しかも、本実施の形態のキー２は、キー毎に交換時期を報知することができる。
【００２８】
なお、本実施の形態では、光透過部４ａを露出させているが、光検出部６が光透過部４ａから入射する光を検出可能な程度に遮光部５が除去されればよい。
【００２９】
＜実施の形態２＞
図４は、本実施の形態の入力装置におけるキー周辺を模式的に示す部分断面図である。本実施の形態のキー２１は、図４に示すように、実施の形態１のキー２と略等しい構成とされているが、遮光性の部材から成るキートップ２２に光透過部として貫通部２２ａを形成している。そして、貫通部２２ａは、遮光部２３で塞がれている。遮光部２３は、予め設定された回数、使用者が接触すると除去される部材で構成され、例えば、使用者の熱によって解ける材料で構成すればよい。
【００３０】
このような本実施の形態のキー２１は、貫通部２２ａを塞ぐ遮光部２３に予め設定された回数、使用者が接触すると当該遮光部２３が解けて貫通部２２ａが貫通する。そして、貫通した貫通部２２ａから入射する光を光検出部６で検出して光源７を点灯させ、使用者にキー２１が交換時期であることを報知する。
【００３１】
このように本実施の形態のキー２１を備える入力装置も、キートップ２２の打鍵回数を算出するための回路や記憶部を備えていなくても、使用者にキー２１の交換時期を報知することができる。しかも、本実施の形態のキー２１を備える入力装置も、キー毎に交換時期を報知することができる。
【００３２】
＜実施の形態３＞
図５は、本実施の形態の入力装置におけるキー周辺を模式的に示す部分断面図である。本実施の形態のキー３１も、実施の形態１のキー２と略等しい構成とされているが、光検出部６への光透過部４ａ以外からの光の入射を抑制する構成とされている。
【００３３】
詳細には、本実施の形態のキー３１は、図５に示すように、導光部３２を備えている。導光部３２は、キー３１の上下方向に伸縮可能であって、光検出部６を囲む筒状体である。本実施の形態の導光部３２は、第１の筒状部材３２ａ及び第２の筒状部材３２ｂを備えている。第１の筒状部材３２ａは、内部に一体的に構成された光検出部６及び光源７を収容しており、キー３１の上下方向に延在している。そして、第１の筒状部材３２ａの下端部は、基板１０の上面に固定されている。
【００３４】
第２の筒状部材３２ｂは、キー３１の上下方向に延在しており、上端部がキートップ４の下面に固定されている。そして、キー３１の上下方向に第１の筒状部材３２ａと第２の筒状部材３２ｂとが相対的にスライド可能に、第２の筒状部材３２ｂの下端部と第１の筒状部材３２ａの上端部とが嵌合されている。
【００３５】
これにより、光検出部６への光透過部４ａ以外からの光の入射を導光部３２が抑制しつつ、導光部３２が光透過部４ａから入射する光を光検出部６に導くことができ、キー３１の交換時期の誤判定を抑制することができる。
【００３６】
なお、本実施の形態のキー３１は、実施の形態１のキー２と略等しい構成としたが、実施の形態２のキー２１と略等しい構成としてもよい。また、本実施の形態では、第１の筒状部材３２ａと第２の筒状部材３２ｂとを嵌合することで、キー３１の上下方向に伸縮可能な構成としたが、蛇腹部などによってキー３１の上下方向に伸縮可能な構成としてもよい。さらに、導光部は、キートップ４の下方領域、即ち、光検出部６、光源７、接触検出部８及び弾性部材９を囲むように配置してもよい。
【００３７】
但し、導光部３２は、光検出部６における外乱光の影響を軽減できるものであればよく、例えば、キートップ４の下面まで到達しない長さを有し、且つ収縮しない筒状体や、光透過部４ａから入射する光を集光するレンズやミラーなどで構成してもよい。
【００３８】
＜実施の形態４＞
図６は、本実施の形態の入力装置におけるキー周辺を模式的に示す部分断面図である。本実施の形態のキー４１は、実施の形態１のキー２と略等しい構成とされているが、図６に示すように、一体的に構成された光検出部６及び光源７を、接触検出部８に形成された収納部８ａ内に収納している。これにより、キー４１の上下方向から見て、接触検出部８をキートップ４の略中央に配置することができ、キー入力の検出精度を向上させることができる。
【００３９】
＜実施の形態５＞
図７は、本実施の形態の入力装置におけるキー周辺を模式的に示す部分断面図である。本実施の形態の入力装置は、実施の形態１の入力装置と略等しい構成とされているが、隣接するキー５１の間隔が広い入力装置に好適である。
【００４０】
隣接するキー５１が離れて配置されている場合、光検出部６への光透過部以外からの光の入射、特にキー５１の側方からの光の入射を抑制する必要がある。そこで、本実施の形態の入力装置は、蓋部５２を備えており、キー５１のキートップ５３が蓋部５２の開口部５２ａから露出するように配置されている。そして、キートップ５３は、キャップ状に形成されており、キー５１が打鍵されていない状態で、光検出部６、光源７、接触検出部８及び弾性部材９を略覆っている。詳細には、キートップ５３の側面と蓋部５２の開口部５２ａとの隙間から入り込む光が光検出部６に略入射しないように、キートップ５３の側部が蓋部５２の開口部５２ａに対して下方に延在している。また、キートップ５３は、キー５１が打鍵されていない状態で、キートップ５３の側部下面と基板１０との間にキー５１の打鍵を許容するための隙間Ｃが確保されるように、弾性部材９で支持されている。
【００４１】
このように本実施の形態では、隣接するキー５１の間を蓋部５２で覆いつつ、キートップ５３で光検出部６を略覆うので、隣接するキー５１の間隔が広くても、光検出部６への光透過部以外からの光の入射を抑制できる。その結果、キー５１の交換時期の誤判定を抑制することができる。
【００４２】
＜実施の形態６＞
図８は、本実施の形態の電子機器を示すブロック図である。先ず、本実施の形態の電子機器６１の構成を説明する。
【００４３】
本実施の形態の電子機器６１は、図８に示すように、実施の形態１の入力装置１、表示装置６２及び処理装置６３を備えている。但し、入力装置としては、実施の形態２乃至４のいずれかの入力装置を用いてもよい。
【００４４】
表示装置６２は、タッチ検出部６２ａ及び表示部６２ｂを備えている。タッチ検出部６２ａは、一般的なタッチ検出器であって、例えば、静電容量式や抵抗膜式などのタッチ検出器である。表示部６２ｂは、一般的な表示部であって、例えば、液晶ディスプレイやＥＬ（Electro Luminescence）などである。
処理装置６３は、光源７が点灯すると、表示部６２ｂにキーボート画面を表示させる。
【００４５】
次に、本実施の形態の電子機器の制御方法を説明する。図９は、本実施の形態の電子機器の制御方法の流れを示すフローチャート図である。図１０は、入力装置における交換時期に到達したキーの光源を点灯させた様子を模式的に示す図であり、○が非点灯状態の光源を示し、●が点灯状態の光源を示している。図１１は、表示装置にキーボード画面を表示した様子を模式的に示す図である。
【００４６】
ここで、本実施の形態の電子機器の制御方法は、実施の形態１の入力装置１における使用者にキー２の交換時期を報知するＳ１〜Ｓ６の工程までと等しいので、重複する説明を省略する。なお、本実施の形態の電子機器の制御方法は、入力装置１をキーボードとして構成している。
【００４７】
入力装置１の制御部３は、図１０に示すように入力装置１における交換時期に到達したキー２の光源７を点灯させると、光源７を点灯させた旨の信号を処理装置６３に出力する（Ｓ６１）。次に、処理装置６３は、入力装置１の制御部３から信号が入力されると、図１１に示すように表示部６２ｂにキーボード画面６４を表示させる。そして、処理装置６３は、キーボード画面６４に倣って表示装置６２に使用者が接触し、タッチ検出部６２ａから検出信号が入力されると、キー入力を認識する。
【００４８】
このように本実施の形態の電子機器６１は、キー２の光源７を点灯させて使用者に当該キー２の交換時期を報知するだけでなく、キーボード画面６４を表示部６２ｂに表示する。そのため、入力装置１からのキー入力が不能となっても、表示装置６２からキー入力を行うことができる。なお、本実施の形態の電子機器６１は、入力装置１の制御部３と処理装置６３とを個別に備えているが、処理装置６３に入力装置１の制御部３の機能を担わせてもよい。これにより、入力装置１の制御部３を省略することができる。
【００４９】
＜実施の形態７＞
なお、電子機器６１の処理装置６３は、図１２に示すように、入力装置１のキー毎の打鍵回数をキーボード画面における当該入力装置１のキー２に対応するキー画面７１内に表示することが好ましい。
【００５０】
詳細には、入力装置１の各々のキー２の接触検出部８は、検出信号を処理装置６３に出力する。処理装置６３は、各々のキー２の接触検出部８から入力される検出信号に基づいて、キー毎の打鍵回数を算出し、算出した打鍵回数をキー画面７１内に表示する。ちなみに、図１２では、万単位で打鍵回数をキー画面７１内に表示しているが、表示単位は特に限定されない。
【００５１】
これにより、使用者にキー毎の打鍵回数を報知することができる。ここで、打鍵回数は、キー入力するために表示装置６２に表示されるキーボード画面６４のキー画面内に表示してもよく、キーの打鍵回数を確認するために使用者の操作によって読み出される、異なるキーボード画面のキー画面内に表示してもよい。
【００５２】
また、処理装置６３は、キー２の打鍵回数に応じてキー画面７１の表示色を変更させることが好ましい。例えば、キー２の打鍵回数が予め設定された第２の閾値未満の場合は、第１の表示色でキー画面７１を表示し、キー２の打鍵回数が予め設定された第２の閾値以上の場合は、第２の表示色でキー画面７１を表示する。
【００５３】
これにより、キーが交換時期に近づいていることを、使用者に視覚的に報知して、キー２の交換を促すことができる。ちなみに、第２の閾値は、第１の閾値より小さい値に設定される。
【００５４】
＜実施の形態８＞
さらに、入力装置１は、一つ又は複数のキー２が一体的に交換可能であることが好ましい。詳細には、図１３に示すように、基板１０が複数のキー２を支持する領域毎に複数に分割されており、キー２を支持する基板１０毎に交換可能とされている。これにより、例えば、一つのキー２が交換時期に達した際に入力装置全体を交換する必要がなく、交換時期に達したキー２を含む基板のみを交換すればよい。ちなみに、図１３では、破線で分割された基板１０の境界を示している。
【００５５】
本実施の形態では、基板１０ごと交換可能な構成としたが、キートップ、光検出部、光源、接触検出部及び弾性部材のキーアセンブリを交換可能としてもよい。その場合、一つのキーを良好に交換可能となる。
【００５６】
なお、本発明は上記実施の形態に限られたものではなく、趣旨を逸脱しない範囲で適宜変更することが可能である。
【００５７】
上記実施の形態では、光検出部６と光源７とを一体的に構成したが、個別に構成してもよい。
【００５８】
上記実施の形態では、光検出部６を基板１０上に設けたが、光検出部６をキートップ４の下面に設けてもよい。
【００５９】
本実施の形態では、光源を用いて使用者にキーの交換時期を報知しているが、使用者にキーの交換時期を報知することができればよく、例えば、振動や音、押圧変化などで使用者にキーの交換時期を報知する手段を用いることができる。
【００６０】
上記実施の形態では、光源を点灯させることで使用者にキーの交換時期を報知しているが、光源を点滅させることで使用者にキーの交換時期を報知してもよい。また、光源の発光色を変更することで使用者にキーの交換時期を報知してもよい。
【００６１】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。）
【００６２】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６３】
１  入力装置
２  キー
３  制御部、４ａ  光透過部
５  遮光部
６  光検出部
７  光源
８  接触検出部、８ａ  収納部
９  弾性部材
１０  基板
２１  キー
２２  キートップ、２２ａ  貫通部
２３  遮光部
３１  キー
３２  導光部、３２ａ  第１の筒状部材、３２ｂ  第２の筒状部材
４１  キー
５１  キー
５２  蓋部、５２ａ  開口部
５３  キートップ
６１  電子機器
６２  表示装置、６２ａ  タッチ検出部、６２ｂ  表示部
６３  処理装置
６４  キーボード画面
７１  キー画面
【図１】
2016181048.tif 000003
【図２】
2016181048.tif 000004
【図３】
2016181048.tif 000005
【図４】
2016181048.tif 000006
【図５】
2016181048.tif 000007
【図６】
2016181048.tif 000008
【図７】
2016181048.tif 000009
【図８】
2016181048.tif 000010
【図９】
2016181048.tif 000011
【図１０】
2016181048.tif 000012
【図１１】
2016181048.tif 000013
【図１２】
2016181048.tif 000014
【図１３】
2016181048.tif 000015